Podtech/llm-jp-corpus-v4-ja_patent huggingface dataset:
(57)【要約】      （修正有）【課題】回転するローラーでスムーズにテープを引き出せて簡単に切る事が出来て、すぐに切り口が分かり、誰にでも使用が出来て効率が上がるテープカッターを提供する。【解決手段】テープをカットする位置に、ノコギリ刃を付ける。テープの切り口が、そこに留まり回転するテープのローラーにより、スムーズに引き出せるようになる。【選択図】図１
0003212785.tif 000002
【実用新案登録請求の範囲】
【請求項１】
ローリングテープカッターにより容易にテープをカットしてより早く切り口がすぐわかり作業効率が上がる。
【考案の詳細な説明】
【技術分野】
【０００１】テープカッターの新企画
【背景技術】
【０００２】本考案のテープカッターによる切り口の見つけ易さ及びスムーズにテープを引き出せる
【考案の概要】
【考案が解決しようとする課題】
【０００３】テープの切り口がわかりにくなり、テープが取り出さないが、本考案により解決できる
【課題を解決するための手段】
【０００４】テープをカットする位置にノコギリ刃を付けテープの切り口がそこに留まる  回転するローラによりスムーズにテープを引き出せる
【考案の効果】
【０００５】今迄にない簡素な技術により手軽に使用が出きる
【図面の簡単な説明】
【０００６】
【図１】全体の構図
【図２】回転するローラー
【図３】テープの切り口のノコギリ刃
【産業上の利用可能性】
【０００７】同様のテープカッターは市場になく手軽に使用できる
【符号の説明】
【０００８】１    テープ本体
２    テープ部分
３    カッターとの接合支柱鋼
４    カットターとの接合支柱鋼
５    接合部分
６    テープカッターの切り口
７    回転ローラー
８    支柱鋼とローラーのつなぎ部分
９    支柱鋼とローラーのつなぎ部分
１０  ローラー中に支柱鋼が９０度に曲がり挿入される
１１  テープカッターの刃
【図１】
0003212785.tif 000003
【図２】
0003212785.tif 000004
【図３】
0003212785.tif 000005
【手続補正書】
【提出日】平成29年7月14日(2017.7.14)
【手続補正１】
【補正対象書類名】実用新案登録請求の範囲
【補正対象項目名】全文
【補正方法】変更
【補正の内容】
【実用新案登録請求の範囲】
【請求項１】
テープをカットする位置に、ノコギリ刃を付け、テープの切り口が、そこに留まり回軽するテープのローラーにより、スムーズに引き出せるテープカッター。
【請求項２】
テープをカットする為、テープの中心の空間に、円筒の棒を通し、ローラーを上の切歯と、同時に押すことにより、テープをカットする必要とする位置に止まり、指で押しつければ、テープは、カットできるテープカッター。
(57)【要約】【課題】新規改良された蒲鉾製品を提供する。【解決手段】（１）蒲鉾主体１が、適宜大きさと厚みを有し、外形がハート形２を構成する蒲鉾製品３であることを特徴とする（請求項１）。（２）前記蒲鉾主体１の上面にハート形の飾り縁取模様部４が表出されることを特徴とする（請求項２）。（３）前記蒲鉾主体１の上面中央部に、例えば『いつもありがとう』等の装飾文字５が表出されることを特徴とする（請求項３）。（４）前記装飾文字５の下方にハート形飾り模様部６が表出されることを特徴とする（請求項４）。【選択図】図１
0003212782.tif 000002
【実用新案登録請求の範囲】
【請求項１】
蒲鉾主体が、適宜大きさと厚みを有し、外形がハート形を構成することを特徴とする蒲鉾製品。
【請求項２】
前記蒲鉾主体の上面にハート形の飾り縁取模様部が表出されることを特徴とする請求項１記載の蒲鉾製品。
【請求項３】
前記蒲鉾主体の上面中央部に、例えば『いつもありがとう』等の装飾文字が表出されることを特徴とする請求項１記載の蒲鉾製品。
【請求項４】
前記装飾文字の下方にハート形飾り模様部が表出されることを特徴とする請求項１記載の蒲鉾製品。
【考案の詳細な説明】
【考案の詳細な説明】
【技術分野】
【０００１】  本考案は、蒲鉾製品に関するものである。
【技術背景】
【０００２】  一般に、蒲鉾と言えば、例えば板に魚介類の擂り身を塗りつけて焼いたり、蒸したりして製する板付き蒲鉾や魚介類の擂り身を笹の葉形にして焼いて製した笹蒲鉾などが知られている。
【考案が解決しようとする課題】
【０００３】  しかし、上述のような伝統的技法によって製される蒲鉾は、その製品形状が定形化していて製品形体にも新たな工夫が要求される。
【課題を解決するための手段】
【０００４】  本考案は、上述のような問題点に着目して新たに開発された蒲鉾製品に係り、詳しくは本考案は斬新にして、新趣向性に富み、蒲鉾類の消費拡大につながる効果顕著な蒲鉾製品を提供することを目的とするものである。
【考案を実施するための形態】
【０００５】  本考案は、蒲鉾主体１が、適宜大きさと厚みを有し、外形がハート形２を構成する蒲鉾製品３であることを特徴とする（請求項１）。
【０００６】  前記蒲鉾主体１の上面にハート形の飾り縁取模様部４が表出されることを特徴とする（請求項２）。
【０００７】  前記蒲鉾主体１の上面中央部に、例えば『いつもありがとう』等の装飾文字５が表出されることを特徴とする（請求項３）。
【０００８】  前記装飾文字５の下方にハート形飾り模様部６が表出されることを特徴とする（請求項４）。
【０００９】  前記、装飾文字５の他に、例えば『大好き』『感謝』『Ｉ  ＬＯＶＥ  ＹＯＵ』『ほんのきもち』『Ｆｉｇｈｔ』等の装飾文字がある。
また、前記装飾文字５の代りに例えば、子供の出生を祝して子供の名前、家紋等を表出すると、名前入り蒲鉾製品となり得る。
前記、ハート形模様部６を二重模様に表出してもよい。
また、ハート形飾模様部６を一重又は二重の色付き花模様などに表出することも可能である。
【００１０】  本考案の蒲鉾製品は公知原材料を使用する。
また、蒲鉾主体１は、二重かさねに成形される。
【考案の効果】
【００１１】  本考案は、以上説明したような形態で実施され、以下に記載する効果を奏する。
【００１２】  蒲鉾をハート形形象体で構成するから、看る者に斬新さと相俟って新趣向性を印象付けることが可能な蒲鉾製品を大量提供できると共に、蒲鉾の消費拡大につながる効果を発揮する。
【００１３】  また、ハート形蒲鉾主体の上面に例えば『いつもありがとう』等の装飾文字５やハート形飾模様部６を表出することで、本考案品は慶事用、結婚、見舞などのギフト商品として好適であり、さらに装飾文字５の代りに、子供の出生を記念して子供の名前、家紋等を表示することで名入り蒲鉾も可能になる。
【００１４】  また、本考案に係る蒲鉾製品の外形はハート形を構成しているだけでなく、蒲鉾にハート形飾り縁取模様４，装飾文字５およびハート形飾模様部６を表出しているから、従来蒲鉾の形状を一変させると共に立体装飾効果を齎しプレゼント・ギフト品として格好な蒲鉾製品を提供できる。
【００１５】  なお、本考案は、上記［０００９］に記載する各実施例の場合でも、上記考案の効果と同様効果を発揮する。
従って、上記［０００９］の構成は本考案に包含される。
【図面の簡単な説明】
【図１】  本考案蒲鉾製品の斜視図である。
【符号の説明】  １  蒲鉾主体
２  ハート形
３  蒲鉾製品
４  飾り縁取模様部
５  装飾文字
６  ハート形飾り模様部
【図１】
0003212782.tif 000003
【手続補正書】
【提出日】平成29年5月27日(2017.5.27)
【手続補正１】
【補正対象書類名】実用新案登録請求の範囲
【補正対象項目名】全文
【補正方法】変更
【補正の内容】
【実用新案登録請求の範囲】
【請求項１】
蒲鉾主体が、適宜大きさと厚みを有し、外形がハート形を構成することを特徴とする蒲鉾製品。
【請求項２】
前記蒲鉾主体の上面にハート形の飾り縁取模様部が表出されることを特徴とする請求項１記載の蒲鉾製品。
【請求項３】
前記蒲鉾主体の上面中央部に、装飾文字が表出されることを特徴とする請求項１記載の蒲鉾製品。
【請求項４】
前記請求項３に記載されている装飾文字の下方に、ハート形飾り模様部が表出されることを特徴とする請求項１記載の蒲鉾製品。
【手続補正書】
【提出日】平成29年7月26日(2017.7.26)
【手続補正１】
【補正対象書類名】実用新案登録請求の範囲
【補正対象項目名】全文
【補正方法】変更
【補正の内容】
【実用新案登録請求の範囲】
【請求項１】
蒲鉾主体が、適宜大きさと厚みを有し、外形がハート形を構成することを特徴とする蒲鉾製品。
【請求項２】
前記蒲鉾主体の上面にハート形の飾り縁取模様部が表出されることを特徴とする請求項１記載の蒲鉾製品。
【請求項３】
前記蒲鉾主体の上面中央部に、装飾文字が表出されることを特徴とする請求項１記載の蒲鉾製品。
【請求項４】
前記装飾文字の下方に、ハート形飾り模様部が表出されることを特徴とする請求項３記載の蒲鉾製品。
(57)【要約】      （修正有）【課題】後頭部を中心に使用されている現在の枕を後頭部と首部に分離し首部を中心に改良し首部に掛る連動荷重を首部全体で支える構造に変えた枕を提供する。【解決手段】枕全体１を発泡ウレタン材２で形成した枕において、（１）中心部にプラスチック製の通気用パイプ３を組み込み、睡眠中首部に発生する熱量を外気温と調整するために、パイプに３ｍｍの発熱吸排穴を１０か所設け、（２）プラスチック製の通気用パイプの保護に８ｍｍ厚のポリエチレン系空気圧を活用の単独気泡スポンジ２層４、５を保護に使用に活用し、（３）枕幅を６４０ｍｍの幅広に設定し睡眠時、どの位置で使用しても条件は一定で変形はなく、（４）枕全体を発泡ウレタンスポンジで覆い形成し、（５）枕カバーには、バスタオルを使い、枕の高低差の微調整には枕カバーのバスタオルの重ねおりで６通りの調整が可能である、以上の（１）〜（５）の構成からなる。【選択図】図２
0003212786.tif 000002
【実用新案登録請求の範囲】
【請求項１】
枕全体を発泡ウレタン材で形成し（１）中心部にプラスチック製の通気用パイプを組み込みパイプに３ｍｍの発熱吸排穴を１０か所設けた（２）睡眠中首部に発生する熱量を外気温との調整穴である、（３）プラスチック製パイプの保護に８ｍｍ厚のポリエチレン系空気圧活用の単独気泡スポンジ２層を保護に使用に活用した、（４）枕幅を６４０ｍｍの幅広に設定し睡眠時、どの位置で使用も条件は一定で変形はなく、枕全体を発泡ウレタンスポンジで覆い形成した枕である。
尚枕カバーには、バスタオルを使い、枕の高低差の微調整には枕カバーのバスタオルの重ねおりで６通りの調整が可能な枕。
【考案の詳細な説明】
【技術分野】
【０００１】  本考案は、後頭部と首部を分離し、枕に掛る重量に関するものである。
【背景技術】
【０００２】  現在の枕は様々な材質形状等を替え、美観点に富んだ枕でそのほとんどの枕は後頭部を中心に支える枕である。
【考案の概要】
【考案が解決しようとする課題】
【０００３】  現在ほとんどの人が使用されている枕は後頭部を中心に支える仕様であり、枕幅にも余裕がなく狭く製作されている、睡眠中の脳波の変化に対応出来ず様々な障害が発生している、その多くは首筋からの発生する鼾などが原因で枕の首部改良は熟睡と姿勢の改善にもなり、前述の欠点を解決しようとするものである。
【課題を解決するための手段】
【０００４】  本考案は枕の首部構造を改良した、首部の中心にプラスチック製の通気管を取り入れ、首部に発生する熱量を通気管から外部に放出し温度差を調整し尚枕幅を６４０ｍｍに広く造り、寝返りが楽になり、寝違いも防止出来、首部に掛掛る連動荷重を重視し改良することで問題点を解決している。
【考案の効果】
【０００５】  上述の様に、本考案は睡眠時首部に掛かる連動荷重を重視し考慮の結果、睡眠中に発生する寝違い筋違い等を完全に防止出来、不眠症等も解消され熟睡が可能となり又首筋と頭部の姿勢が正常な姿に回復した。
【図面の簡単な説明】
【０００６】
【図１】本考案の枕全体図である。
【図２】本考案の枕の部品別詳細図である。
【考案を実施するための形態】
【０００７】  睡眠時枕の受ける荷重を後頭部と首部に分離し後頭部には垂直荷重として受ける台枕で、首部に掛る連動荷重に対し、首部中心にプラスチック製の通気管パイプを枕の平行安定性に組み込み、その通気管に３ｍｍの発熱吸排穴を１０か所設け外気温との差の調整に設定し、又枕の幅を６４０ｍｍと広くどの位置でも安定した睡眠を可能にした。
【実施例】
【０００８】  以下、添付図に従って実施例を説明する。１は枕の構造を首部主体に改善し発泡系材で包み込み一体化をされた枕、２は枕全体を保護する発泡材、３は睡眠中首部に発生熱温度を外気温と調整し、尚幅広枕の変形防止のパイプ、４は３の素材がプラスチック製のパイプのため４・５のポリエチレン系空気圧を活用の独立気泡パイプを２層で保護に使用している。【０００９】  上記枕の首部構造を改良したことで、首部に起きる問題の寝違い筋違い等は解消されている、鼾をなども首部の正常化で解消され、頭（顔）部の前に下がり姿勢等も解消されている、後頭部を中心の枕もよいが、首部の保護がいかに大切かを立証できた。【００１０】  本考案の一実施例は上述の如き構成からなるものであり、枕で後頭部も大事だが首部はそれ以上に重要で睡眠姿勢は健康の基で当枕は睡眠時の姿勢を正し、首部に発生する寝違い筋違等を防止し頭の前折れも防止出来、鼾など止まり熟睡が出来る。【００１１】  枕の高低差の微調整は枕カバーにバスタオルを使い６通りの折り方で高さ調整が出来る、高低差調整不要の場合バスタオルは枕カバーのみの使用。
【符号の説明】１  枕本体
２  枕の外周発泡ウレタンスポンジ
３  中芯・プラスチックパイプ
発熱吸排調整通気孔（３ｍｍ×１０か所）
４  保護パイプ  ポリエチレン単独発泡スポンジ
５  保護パイプ  ポリエチレン単独発泡スポンジ
【図１】
0003212786.tif 000003
【図２】
0003212786.tif 000004
【手続補正書】
【提出日】平成29年7月12日(2017.7.12)
【手続補正１】
【補正対象書類名】実用新案登録請求の範囲
【補正対象項目名】全文
【補正方法】変更
【補正の内容】
【実用新案登録請求の範囲】
【請求項１】
枕全体を発泡ウレタン材で形成した枕において、
（１）中心部にプラスチック製の通気用パイプを組み込み、睡眠中首部に発生する熱量を外気温と調整するために、パイプに３ｍｍの発熱吸排穴を１０か所設け、
（２）プラスチック製の通気用パイプの保護に８ｍｍ厚のポリエチレン系空気圧を活用の単独気泡スポンジ２層を保護に使用に活用し、
（３）枕幅を６４０ｍｍの幅広に設定し睡眠時、どの位置で使用しても条件は一定で変形はなく、
（４）枕全体を発泡ウレタンスポンジで覆い形成し、
（５）枕カバーには、バスタオルを使い、枕の高低差の微調整には枕カバーのバスタオルの重ねおりで６通りの調整が可能である、
以上の（１）〜（５）の構成からなる枕。
(57)【要約】      （修正有）【課題】手を使わなくても、歯磨きおよび歯茎マッサージを行えるハンズフリー歯ブラシを提供する。【解決手段】舌の形状にフィットする樹脂製のクリップ２を舌へ挟み、クリップの支点に植毛したブラシ、または樹脂製のブラシ１を備え、ブラシを常に舌先の固定位置にあるようにクリップを上下に分かれた挟み辺で構成し、その状態でスムースに舌を動かせ、支障なく歯磨きと歯茎マッサージができるようにする。【選択図】図３
0003212800.tif 000002
【実用新案登録請求の範囲】
【請求項１】
上下に分かれた挟み辺で舌を挟み、挟み辺の支点にブラシを備えた、手に持って動かす必要のない歯ブラシ。
【考案の詳細な説明】
【技術分野】
【０００１】      本考案は、場所を選ばず、手を使わずに歯磨きおよび歯茎マッサージをするため、舌に装着して用いる歯ブラシに関するものである。より詳細には、舌への装着および着脱が容易にでき、かつ衛生的であるハンズフリー歯ブラシに関するものである。
【背景技術】
【０００２】      近年、予防歯科が啓蒙され定期的な歯の掃除や検診などに保険が適用されるにも関わらず、習慣的なケアを怠りまたは上手にできずに、大切な歯を虫歯や歯槽膿漏によって失う人は減少しない。時間に余裕のない現代人にとって、毎食後確実に自分の歯のケアのための時間を割くことができない。【０００３】      そこで、携帯歯ブラシや携帯電動歯ブラシなどで外出先や短時間で歯磨きのできる口腔ケア製品が開発されている。【０００４】      しかしながら、従来の棒状の把持部とブラシ部で構成された歯ブラシおよび電動歯ブラシは洗面所等の人目につかず身だしなみを整える場所で行われることが望ましく、公の場所で歯ブラシを手に持ち歯を磨くことは難しい。時間と場所のないことから、口腔ケアが後回しになってしまう。【０００５】      また、通常の棒状の歯ブラシを使用するだけでは、歯間部や歯と歯茎の隙間などを丁寧に磨くことが難しく、よって磨き残しによる歯垢や歯石を生じさせ口腔内環境を悪化させる。
【考案の概要】
【考案が解決しようとする課題】
【０００６】      したがって、本考案はそれらの問題を解決するため、時間や場所を選ばず、手を塞ぐことなく、歯磨きや歯茎マッサージを行うことができ、かつ磨き残しを少なくするハンズフリー歯ブラシを提供することを課題とする。【０００７】      すなわち、歯磨きを上手く行えずに歯石がたまり虫歯になることや歯槽膿漏を防ぐこと、また、何かをしながら歯磨きをするといういわゆるながら使用ができ、装着および脱着が容易、かつ衛生的であり、誤飲するおそれのないハンズフリー歯ブラシを提供することを課題とする。また、装着感や使用感を損ねない素材にも特徴を持つハンズフリー歯ブラシを提供することも課題とする。
【課題を解決するための手段】
【０００７】      上記課題を解決するために、本考案は、使用する場所を選ばず、かつ手を使わずに他のことをしながらでも歯磨き、歯茎マッサージのできる歯ブラシであって、挟み辺（以下、クリップと称す）で舌を挟み、そのクリップの支点部分にブラシを植毛またはブラシ化した部を歯や歯茎にあて、舌を動かすことで口腔内のケアを行うことを特徴とする。
【考案の効果】
【０００８】      上記のように、本考案のハンズフリー歯ブラシは、いつでもどこでも、パソコン作業や車の運転、料理を作っている時でも容易に歯磨きや歯茎マッサージができる。【０００９】      また、ハンズフリー歯ブラシは、従来の棒状の歯ブラシによる磨き残しの多い奥歯や歯の裏側部分を容易に磨けることで、結果口腔疾病の予防につながる。
【図面の簡単な説明】
【００１０】
【図１】本考案のハンズフリー歯ブラシの一実施例を示す上面図である。
【図２】本考案のハンズフリー歯ブラシの一実施例を示す下面図である。
【考案を実施するための形態】
【００１１】      クリップは伸縮性のある樹脂製であり、舌を挟み密着し固定されることで歯ブラシのついた舌を口腔内で自在に動かしても外れず、かつブラシ部が常に舌尖の前部に位置するよう装着することでより広範囲に歯磨きと歯茎マッサージが可能となる。
【実施例】
【００１２】      以下、添付図面に従って一実施例を説明する。１は、シリコンゴム、ウレタンゴム、ＥＶＡ樹脂、またはゴム等の柔軟でゴム質の素材により一体形成されている。【００１３】      本考案のハンズフリー歯ブラシは、上記実施例の構成に限らず、適宜変更可能である。例としては、上記実施例では、操作性と衛生的観点からブラシ２をクリップと一体形成するようにしたが、従来の歯ブラシのブラシ素材を植毛してもよい。また、クリップの形状も支点を軸に逆Ｖ（ブイ）字型に成形しているが、舌にフィットすることを第一義とした場合、平行に配置したクリップや、二股に分かれずに構成しているクリップでもよい。
【符号の説明】
【００１４】      １  クリップ
２  ブラシ
【図１】
0003212800.tif 000003
【図２】
0003212800.tif 000004
【図３】
0003212800.tif 000005
【手続補正書】
【提出日】平成29年7月25日(2017.7.25)
【手続補正２】
【補正対象書類名】明細書
【補正対象項目名】００１０
【補正方法】変更
【補正の内容】
【００１０】
【図１】  本考案のハンズフリー歯ブラシの一実施例を示す上面図である。
【図２】  本考案のハンズフリー歯ブラシの一実施例を示す底面図である。
【図３】  本考案のハンズフリー歯ブラシの一実施例を示す側面図である。
(57)【要約】      （修正有）【課題】簡単に携帯でき、顔のサイズや部屋の明暗に関係なく使用できるピンホール眼鏡を提供する。【解決手段】厚み方向に光を透過させる複数の光透過部２、３と、光透過部の他の部分であって、厚み方向に光透過させない遮光部と、から構成された定規１であって、光透過部は、直径４ミリメートル以下の略円形状を有し、定規の長手方向において両端に位置する光透過部間の距離が４センチメートル以上となるように形成される。【選択図】図２
0003212792.tif 000002
【実用新案登録請求の範囲】
【請求項１】
厚み方向に光を透過させる複数の光透過部と、前記光透過部の他の部分であって、厚み方向に光透過させない遮光部と、から構成された定規であって、前記光透過部は、直径４ミリメートル以下の略円形状を有し、前記定規の長手方向において両端に位置する前記光透過部間の距離が４センチメートル以上となるように形成される、定規。
【請求項２】
前記光透過部は、前記定規の厚み方向に穿設された孔部である、定規。
【請求項３】
請求項１または２に記載の定規であって、２以上の直径の異なる前記光透過部を有する、定規。
【考案の詳細な説明】
【技術分野】
【０００１】  本考案はピンホール眼鏡に関する。
【背景技術】
【０００２】  従来、ピンホール効果により、一時的な視力の矯正を行うことのできるピンホール眼鏡が知られている。
また、ピンホール眼鏡に定規の機能を付けたものが提案されていた（特許文献１参照）。
【先行技術文献】
【特許文献】
【０００３】
【特許文献１】特開２０１１−１１８３２１
【考案の概要】
【考案が解決しようとする課題】
【０００４】  これには次のような課題があった。
従来ピンホール眼鏡は眼鏡としての用途が主であり、通常の眼鏡と同様、眼鏡型の形状となっている。例に挙げた特許文献１においても「眼鏡の形」であることが明記されている。【０００５】  しかし、眼鏡としての用途が主であると、常に意識して携帯していなくてはならず、例えば、黒板に書かれた文字の一部が小さく書かれていて見えないといった予期できぬ突発的な状況において、素早くピンホールメガネ使用することは困難である。【０００６】  また、通常のレンズを用いた眼鏡を使用している者の場合、その上にピンホール眼鏡を重ねてかけて使用することは、眼鏡のフレーム同士が重なり合ってしまい困難である。【０００７】  さらに、眼鏡型の場合、顔のサイズによってはきつかったり、ゆるかったりして使用できないといった課題があった。【０００８】  また、ピンホール効果は部屋の明暗によって見え方が左右され、一番よく見える最適径があるわけではない。基本的には孔の径が小さいと見えやすい傾向があるものの、部屋が暗い場合は見え方が暗くなりすぎてしまい、孔の径が大きいほうが見やすい場合もある。
本考案は以上のような課題を解決するために、なされたものである。
【課題を解決するための手段】
【０００９】  本考案は定規にピンホール効果が生じる複数の光透過部を設けたものである。また、広範囲にわたる光透過部や、複数サイズの光透過部を有する。
【考案の効果】
【００１０】  定規にピンホール効果が生じる光透過部があるので、普段は定規として使用でき、必要なときのみピンホール眼鏡として使用することができる。定規型のため筆記用具として携帯することができ、板書をする際は常に手元に置いておくことができる。
通常のピンホール眼鏡と違い、フレームがないので、眼鏡の上から使用することもできる。さらに定規の長さを活かし、広範囲にわたって複数の光透過部を設けることにより、顔のサイズに関係なく使用することが可能である。
また、定規の長さを活かし、複数サイズの光透過部を設けることも可能である。そうすることにより、部屋の明暗に応じて、一番よく見えるサイズの光透過部を選択して使用することができる。
【図面の簡単な説明】
【００１１】
【図１】図１は、本考案の第１実施形態の正面図である。
【図２】図２は、本考案の第２実施形態の正面図である。
【考案を実施するための形態】
【００１２】  以下、本考案を実施するための形態について説明する。
本考案は第１実施形態（図１）のように、定規にピンホール効果の生じる複数の光透過部を設けた形態である。
ピンホール効果が生じる範囲であれば、本考案は効果を発揮するが、ピンホール効果は瞳孔の大きさより小さい径でないと十分な効果を発揮しないことから、光透過部の直径は４ミリメートル以下であることが望ましい。
なお、光透過部の形状は略円形状としているが、これには真円も含まれる。また、円形に近い多角形や、略円形状を主体とした形状も含まれるものとする。
なお、略円形状以外の形状の場合、その形状の内側に接するように円形を描いた場合における円形の直径が４ミリメートル以下となっていればよい。
また、本考案は長手方向において両端に位置する光透過部の距離が４センチメートル以上であることが望ましい。
このようにして光透過部を広範囲にわたって設けることにより、顔のサイズに関係なく使用できるといった効果が生じる。
【００１３】  また、第２実施形態（図２）のようにサイズの異なる光透過部を有する構造であってもよい。このようにサイズの異なる複数の光透過部を設けることにより、部屋の明暗に応じて、一番よく見えるサイズの光透過部を選択して使用することができる。
【００１４】  また。本考案にある光透過部は、請求項２にあるように物理的に孔をあけたものだけでなく、光が一部透過するようにして孔と同様の効果を持たせた透明部分を有する構造であってもよい。このように実際に孔をあけるのではなく、透明部分を設けて光が透過する疑似的な孔にすることにより、孔を複数あけた場合における定規の耐久性低下の防止や、物理的に孔をあける場合と比べて製造コストを下げることができる等のメリットがある。
【００１５】  定規の材質は透明で光をよく通すもの以外なら使用可能である。また、透明で光をよく通す材質であっても、塗装やプリント加工や間に光を通さない材質のものを挟むなどして、光透過部の周りにおいて、光が透過しない構造（遮光部）となっていればよい。材質の例として、例えばプラスチック、金属、木、紙等が考えられる。
なお、遮光部は光を完全に遮断する必要はなく、光透過部との対比においてピンホール効果を生じさせる程度の光の透過は許容できるものとする。
【実施例】
【００１６】  本考案を使用するときは、眼または眼鏡の上に本考案をあて、光透過部を覗いて使用する。
通常は定規を横にして両方の眼で覗き両眼で使用するが、縦にして片方の眼で覗くことにより単眼での使用も可能である。
【符号の説明】
【００１７】  １…定規、２…光透過部、３…２の光透過部とはサイズが異なる光透過部
【図１】
0003212792.tif 000003
【図２】
0003212792.tif 000004
【手続補正書】
【提出日】平成29年7月11日(2017.7.11)
【手続補正１】
【補正対象書類名】実用新案登録請求の範囲
【補正対象項目名】請求項２
【補正方法】変更
【補正の内容】
【請求項２】
請求項１に記載の定規であって、前記光透過部は、前記定規の厚み方向に穿設された孔部である、定規。
(57)【要約】      （修正有）【課題】足もとの位置を上げて下半身を安定させ背筋を伸ばし上半身の姿勢を正しく保つために、簡易に組立てができ軽量で荷重に耐える強度を有する足載せ台を提供する。【解決手段】ダンボール紙等の軽い材料を採用し、天板と底板を保持するための柱となる部分は、強度を得るために六角形の構造を採用し、２つの台形の形の底辺を背中合わせに接合する。接合部分が六角形の対角を結ぶ中壁となる。外側になる６面のうち２面は二重にして強度を保つ。２面部分の結合は、側面の末端に突起部分を設け相互に差し込んで固定する。天板及び底板にはそれぞれに４か所の溝になる切り込みを設け、六角形の柱の部分の側面４面に設けた上下８か所の溝に噛合せて支柱を結合させる。【選択図】図１
0003212795.tif 000002
【実用新案登録請求の範囲】
【請求項１】
台形の形状をした構造体の底辺にあたる部分を２つ背中合わせに接合し六角形の形状の柱を完成させる構造。
【請求項２】
六角形の形状の柱の側面に設ける溝になる切込み部分と、天板及び底板の支柱に設ける溝になる切込み部分を噛合せて結合固定する構造。
【請求項３】
六角形の形状の柱の側面となる６か所のうち２か所が重なり合う構造としその部分の結合は側面の末端に突出した部分を設けて相互に差し込み組立てて固定する構造。
【考案の詳細な説明】
【考案の概要】
【考案が解決しようとする課題】
【０００１】老人や子供等は椅子に腰掛けた際に脚の長さが不足して足先が床面に届き難い状態に成り易く、正しく姿勢を保つことが容易ではなくなる場合がある。
足元に足載せ台を用意することで太ももが上りその問題点を解決へと導く。
その足載せ台は軽量で荷重に耐えることのできるしっかりとした構造で、取扱いが簡単で、低コストのものを準備することを課題とする。
【課題を解決するための手段】
【０００２】求められる足載せ台は軽量であり、脚の荷重に耐え得る強度があり、取扱いが容易でかさばらず運搬が簡単な組立式の構造が適している。
上部からの負荷に対する強度を備えるため柱の部分は六角形（ハニーコム）の形状を選択し、部材は軽量化を目指しダンボール紙等の軽い材料を使用する。
六角形の形状の柱の構造は、壁面から成る台形の形をした構成物の底辺にあたる部分を２つ背中合わせに接合し、上から見て六角形となるようする。
その接合された部分は六角形の対角を結ぶ中壁になる。
二重に作られた中壁と共に、構成する６面の側壁面のうち２面を二重にするように設計された六角形の形状で柱を成す。
側面の二重に重ね合せる２面の部分の結合は、壁面となる部分の末端に突起状に延長した形状の箇所を設け、それを相互に差込んで固定する方法を採用する。
６ヵ所の側面のうち４か所の上下に溝になる切込みの部分を設け、その箇所で天板と床板の支柱とを噛合せ結合する。
天板は２本の支柱を付属接合した構造とし、それぞれの支柱の２か所に溝になる切込み部分を設け、六角形の形状の柱の側面に設けられた４か所の溝になる切込み部分に噛合せる。
底板も同様の構造とする。
胴体部分、天板部分、底板部分の３点に分離された構造部分を、組立てて一つに合体させ足載せ台は完成する。
この仕様によって課題を解決することができる。
【考案の効果】
【０００３】この組立式の足載せ台は簡易に取扱うことができ、課題とする条件を解決しかつ満たすことができる。
脚の位置が上がる身体の体勢により、背筋を伸ばし上半身の姿勢を正しく保つことができる。
同時に太ももを持ち上げることにより、両脚の血流に良い影響を及ぼし楽な感覚を得ることが可能となる。
【考案を実施するための形態】
軽量であること、簡易に組み立て方式で完成できること、３つに分割した状態で運搬できること、これ等の条件を満たす形態でこの足載せ台は提供される。
【図面の簡単な説明】
【０００４】
【図１】  考案の足載せ台を組立て斜め上から見た図
【図２】  考案の足載せ台を正面から見た全体及び天板、底板の図
【図３】  考案の足載せ台を側面から見た全体及び天板、底板の図
【図４】  考案の足載せ台の天板及び底板を下から見た図
【図５】  考案の足載せ台の六角形の形状の柱の部分を上から見た図
【図６】  考案の足載せ台の六角形の形状の柱の部分を展開し斜め上から見た図
【符号の説明】
【０００５】１        天板
２        底板
３        六角形の形状の柱
４        支柱
【図１】
0003212795.tif 000003
【図２】
0003212795.tif 000004
【図３】
0003212795.tif 000005
【図４】
0003212795.tif 000006
【図５】
0003212795.tif 000007
【図６】
0003212795.tif 000008
【手続補正書】
【提出日】平成29年7月6日(2017.7.6)
【手続補正１】
【補正対象書類名】実用新案登録請求の範囲
【補正対象項目名】全文
【補正方法】変更
【補正の内容】
【実用新案登録請求の範囲】
【請求項１】
重なり合う側面の結合は側面の末端に突出した部分を設けそこを相互に差し込んで組立て固定することを特徴とする台形の形状をした構造体の底辺にあたる部分を背中合わせに接合し六角形の形状に完成された柱を支柱とする足載せ台。
(57)【要約】      （修正有）【課題】焼成されるパンケーキ等の表面に焦げ目模様を焼き付ける焦げ目模様焼付け具を提供する。【解決手段】シリコン板によって一体成型される焦げ目模様焼付け具であって、該焦げ目模様焼付け具は、シリコン板で収納凹部１を形成し、該収納凹部１の底面部には焦げ目模様を形作る抜き穴３を打ち抜くと同時に、該抜き穴３の形状内において打ち抜き残される連結部５を延出させ、収納凹部１の周縁には外壁部２を形成するものである。【選択図】図２
0003212791.tif 000002
【実用新案登録請求の範囲】
【請求項１】
シリコンによって一体成型される焦げ目模様焼付け具であって、
前記焦げ目模様焼付け具は、シリコン板で収納凹部を形成し、その収納凹部内にパンケーキ等の半液体の素を流入し、該半液体が流れ出ないように外壁を設け、該収納凹部の底面部には焦げ目模様を形作る抜き穴を抜いてあることを特徴とする焦げ目模様焼付け具。
【請求項２】
前記居抜き穴の形状が、模様、図形、文字、数字、記号、有名キャラクターの何れかまたはその組み合わせによって形成されることを特徴とする請求項１に記載の焦げ目模様焼付け具。
【考案の詳細な説明】
【技術分野】
【０００１】  本考案は、焼成されるパンケーキ等の表面に焦げ目模様を焼き付ける焦げ目模様焼付け具に関する。
【背景技術】
【０００２】  従来より、模様、図形、文字、数字、記号、有名キャラクター等を形作る焦げ目模様を焼成される食パン等の表面に焼き付けることによって、焦げ目模様による見た目の食趣や、焦げ具合の視覚を楽しむことができる提案がなされ、周知技術となっている。
【先行技術文献】
【０００３】
【特許文献】
【特許文献】特開２０１６−１１７５７号  公報
【考案の概要】
【考案が解決しようとする課題】
【０００４】  本発明は上記問題点に鑑み、焼成されるパンケーキ等の表面に焦げ目模様を焼き付ける焦げ目模様焼付け具の提供を図ることを目的とする。
【課題を解決するための手段】
【０００５】  本発明は、上記課題を解決するためになされるもので、本発明における焦げ目模様焼付け具は、シリコン板によって一体成型される焦げ目模様焼付け具であって、前記焦げ目模様焼付け具は、シリコン板の中央に収納凹部を形成し、該収納凹部の底面部には焦げ目模様を形作る抜き穴をぬいて成る手段を採る。
【考案の効果】
【０００６】  本発明の焦げ目模様焼付け具によれば、焦げ目模様焼付け具がシリコン板によって形成されることによって、焦げ目模様を形作る抜き穴と、焼成されるパンケーキ等の表面に焼き付けられる焦げ目模様を従来になく複雑且つ、細部まではっきりと焼き付けることができるといった優れた効果を奏する。
【図面の簡単な説明】
【０００７】
【図１】本発明の焦げ目模様焼付け具における焼きあがったパンケーキの実施例。
【図２】本発明のパンケーキ等の焦げ目模様焼付け具のシリコン板。
【図３】本発明の焦げ目模様焼付け具の斜視図である。
【考案を実施するための形態】
【０００８】  シリコン板によって一体成型される焦げ目模様焼付け具をフライパンに設置し、火をつけて、該抜き穴を設置された焦げ目模様焼付け具に、パンケーキ等の半液体の素を流し込み焼くことにより、焦げ目模様を形作る。
【実施例】
【０００９】  シリコン板によって一体成型される焦げ目模様焼付け具であって、該焦げ目模様焼付け具は、収納凹部１を形成し、その収納凹部１内に流入したパンケーキ６等の半液体の素が流れ出ないように外壁２を設け、焦げ目模様４を形作る抜き穴３を打ち抜き、該抜き穴３の形状内において打ち抜き残される連結部５を延出させて成型する。
【符号の説明】
【００１０】１      シリコン板焦げ目模様焼付け具の収納凹部
２      シリコン板の外壁
３      抜き穴
４      焦げ目
５      連結部
６      パンケーキ
【図１】
0003212791.tif 000003
【図２】
0003212791.tif 000004
【図３】
0003212791.tif 000005
【手続補正書】
【提出日】平成29年7月19日(2017.7.19)
【手続補正１】
【補正対象書類名】実用新案登録請求の範囲
【補正対象項目名】全文
【補正方法】変更
【補正の内容】
【実用新案登録請求の範囲】
【請求項１】
シリコンによって一体成型される焦げ目模様焼き付け具であって、
パンケーキの素等の半液体を流入させるための収納凹部および該半液体が流れ出ないための外壁が形成されてなり、該収納凹部の底面部には焦げ目模様を形作る抜き穴を抜いてあることを特徴とする焦げ目模様焼き付け具。
【請求項２】
前記抜き穴の形状が、模様、図形、文字、数字、記号、有名キャラクターの何れか又またはその組み合わせによって形成されることを特徴とする請求項１に記載の焦げ目模様焼き付け具
(57)【要約】      （修正有）【課題】正面を向いたまま、後方だけでなく左方死角も視認出来る、運転席サンバイザーに装着して使用するバックミラーを提供する。【解決手段】鏡板１と背板３を蝶番４、５とネジ６で接続して角度調節出来るようにして、背板３にサンバイザー７に挟む為の曲げ板２を接着する。【選択図】図１
0003212796.tif 000002
【実用新案登録請求の範囲】
【請求項１】
鏡板と背板を蝶番とネジで接続して角度調節出来るようにして、背板にサンバイザーに挟む為の曲げ板を接着し、運転席サンバイザーに装着して使用するバックミラー。
【考案の詳細な説明】
【考案の概要】
【０００１】  本考案は自動車の後方視界の範囲を、従来装着されている自動車室内バックミラーよりも広い範囲で視認できるように考案したもので、装着位置を運転席サンバイザーに装着する事により、正面を向いたまま視認が出来、後方視界だけでなく左方の死角も視認出来るように考案した。
【考案のが解決しようとする課題】
【０００２】  自動車を運転中、左フェンダーミラーと室内バックミラーで視認し、二車線の道路で右車線から左車線に進路変更をしようとしたさい、左後方の死角に他車がいてあやうく接触しそうになるという経験があり、正面を向いたまま、後方だけでなく左方死角も視認出来るバックミラーの必要性がある。
【課題を解決する為の手段】
【０００３】  バックミラーを運転席サンバイザーに装着して、正面を向いたまま視認出来るようにし、かつミラーサイズも広くとり後方視界、左方視界を確保出来るように考案した。
【考案の効果】
【０００４】  正面を向いたまま後方視界のみならず、左方死角を視認出来るようになり、安全に運転出来るようになった。
【図面の簡単な説明】
【０００５】
【図１】  曲げ板はサンバイザーにバックミラーを挟む為にある、鏡板と背板が蝶番とネジにより角度調節が出来るようになっている。
【符号の説明】
【０００６】１‥‥‥鏡板
２‥‥‥サンバイザーに挟む為の曲げ板
３‥‥‥背板
４‥‥‥鏡板に接着した蝶番
５‥‥‥背板に接着した蝶番
６‥‥‥鏡板蝶番と背板蝶番を接続するネジ
７‥‥‥サンバイザー本体
【図１】
0003212796.tif 000003
(57)【要約】      （修正有）【課題】非結束線材に結束帯の巻き始め端が固定されることが好ましくない線材の結束に適用でき、かつ作業性が良好な結束補助具を提供する。【解決手段】結束帯の巻き始め端を固定するための固定部を備え、非結束線材と固定部が結束帯によって共に巻かれるようにする。【選択図】図１
0003212470.tif 000002
【実用新案登録請求の範囲】
【請求項１】
ケーブル、ロープ、などの線材を結束するための再利用可能な結束帯の使用において、結束帯の巻き始め端を固定するため固定部を備え、被結束線材と固定部が結束帯によって共に巻かれることを特徴とする結束補助具
【請求項２】
ケーブル、ロープ、などの線材を結束するための結束帯としてゴム材を使用するケースにおいて、結束帯の巻き始め端を固定するため固定部を備え、ゴム材の終端部を引っ掛けるための終端フックを備えることを特徴とする結束補助具
【請求項３】
収納のためのフックを備えることを特徴とする、請求項１及び２の結束補助具
【考案の詳細な説明】
【技術分野】
【０００１】  本考案は、ケーブル等を結束する結束帯の補助具に関する。
【背景技術】
【０００２】  マジックテープやベルクロの商標で知られる面ファスナーの用途の一つに、ケーブル等を結束するための結束帯としての使用法がある。一枚のテープ状の基材の片面にループ面を、逆面にフック面を設けることで結束帯とするが、図３のごとく、ケーブルを巻いていない状態でテープの端部をケーブル等の一部分に巻き付けて固定し、ケーブルを巻いた後に逆の端をケーブルに巻きつけてケーブルを結束する。
【考案の概要】
【考案が解決しようとする課題】
【０００３】  面ファスナーの結束帯でケーブルを結束する際は、巻き始め端部をケーブルに巻き付けて固定することが通常の使用方法であり、固定しない場合は、作業性が著しく悪くなる。【０００４】  しかし、ケーブルの用途によっては、使用時に結束帯が固定されていることが好ましくない場合がある。例えば、掃除機の電源線の延長ケーブルでは、汚れの付着により結束帯としての性能が劣化するし、舞台用のマイクロホン延長ケーブルは、舞台上に結束帯が見えること自体が好ましくない。
【課題を解決するための手段】
【０００５】  面ファスナーの結束帯は、本来巻き始め端部をケーブルに巻き付けて固定するが、ケーブルではなく結束補助具に巻きつけて固定する。【０００６】  ケーブルを巻いた後に結束補助具をケーブルに沿わせてあてがい、結束帯の逆の端を、ケーブルと結束補助具の両方に巻きつけて結束する。【０００７】  結束帯を構成する材料にゴム材を使用する手段もある。【０００８】  ゴム材を結束補助具に設けた固定部に固定し、ケーブルと結束補助具の両方に巻きつけて結束する。【０００９】  ゴム材を使用する場合は、結束帯の終端部を結束補助具に引っ掛けるための終端フック２が必要となる。【００１０】  ゴム材を使用する場合は、被結束線材の量とゴム材結束帯の長さによっては、結束補助具上に結束帯を巻きつける必要がないケースも発生する。
【考案の効果】
【００１１】  結束補助具は、剛体で作られているので、結束の作業性は損なわれない。【００１２】  ケーブルの使用時には、結束帯は結束補助具とともにケーブルから外れる。
【図面の簡単な説明】
【００１３】
【図１】考案を実施するための形態の説明図
【図２】第１実施例の説明図
【図３】第２実施例の説明図
【図４】考案が解決しようとする課題を説明するために、ベルクロのウエブサイトから引用した、面ファスナー型結束帯の説明図
【考案を実施するための形態】
【００１４】  図１の如く、固定部１を備え、結束帯はこの固定部に対して固定され、ケーブルとともに結束帯に巻かれる機構をもつ治具を結束補助具とする。結束補助具は、硬質の材料であれば、板金、鋼線、合成樹脂など材質は問わない。
【実施例】
【００１５】  図２は、本考案の第１実施例である。固定部１は整形した鋼線を折り曲げて作られており、結束帯を固定する。ケーブルを結束する際、固定部１ごと結束する。【００１６】  鋼線のもう一方の端は、フック３となっている。【００１７】  このフックは、ケーブルを使用中は、取り外した結束帯を運搬ケースの端などに引っ掛けて仮置きしておく用途に利用でき、ケーブル収納時には、ケーブル自体をポールなどに吊り下げる用途に利用できる。【００１８】  図３は、本考案の第２実施例である。結束帯として環状ゴム使用している。固定部１は板金を折り曲げて作られており、環状ゴム結束帯を固定する。ケーブルを結束する際、固定部１ごと結束し、環状ゴムの終端部分は終端フック２に引っ掛けて固定される。
【産業上の利用可能性】
【００１９】  本考案は、ケーブルやロープなどを収納するための結束帯の用途に利便性を提供する。
【符号の説明】
【００２０】  １  固定部
２  終端フック
３  フック
【図１】
0003212470.tif 000003
【図２】
0003212470.tif 000004
【図３】
0003212470.tif 000005
【図４】
0003212470.tif 000006
(57)【要約】      （修正有）【課題】食品等の運搬、移動を人体に優しく、破損、変形を少くするとともに、空荷のときフレームを閉じて収縮させ公共交通を安心して利用出来るリュックを提供する。【解決手段】軽資材（樹脂・アルミ）を使用して背負バンド１を取付るメインフレーム７とサブフレームを上下２本のヒンジ付フレームにより連結してサブフレームを上下することで閉じて収縮したり、棚５を開いて物を収納する。フレームの６個所に９０°回転可能なヒンジを設けてあるので棚を上げるとフレームとフレームが接触する迄縮ませることが出来る、棚を下げると二箇所に分別収納されフレームでガードされる。【選択図】図１
0003212461.tif 000002
【実用新案登録請求の範囲】
【請求項１】
軽資材（樹脂・アルミ）を使用して背負バンド（１）を取付るメインフレーム（７）とサブフレーム（６）を上下２本のヒンジー付フレーム（８）により連結してサブフレームを上下することで閉じて収縮したり、棚（５）が開いて物を収納することを特徴とするリツク。
【考案の詳細な説明】
【技術分野】
【０００１】  本考案は主として食品等の買物を持ち帰りのとき使用するリックに関するものである。
【背景技術】
【０００２】  車社会の利便性を安受して来た高令者にとって自動車免許証の自主返納は人生の大変革です、一度は通る通過点と捉え、無事通過は幸せな事、然し前途は夛難です、自立するには先ず食料品の調達方法を如何にするかが間題となっている。
【考案の概要】
【考案が解決しようとする課題】
【０００３】  購入食品を冷たいもの、破損、変形しやすい等分類収納して全体をフレームでガード往路、空荷のとき折畳めるので公共交通利用も安心である。
【課題を解決するための手段】
【０００４】  前記フレームをリックに組込み両開きフアスナーで収納を容易にした、フレーム６ヵ所にヒンジを設け折り畳んでリックの外形を小さくする設計とした。
【考案の効果】
【０００５】  本考案上下２段区画の長所である重ね積重圧による商品の変形、破損、又は公共交通利用中の外圧による不安感もフレームのガードで安心である。
【図面の簡単な説明】
【０００６】
【図１】本考案の両開きフアスナー部を切除しフレームの一部と外観の姿図。
【図２】フレームの組成図
【図３】フレームの作用図
【考案を実施するための形態】
【０００７】  空荷のときリック内のフレームが折り畳まれ外形が薄く縮んだ状態であり買物を収納するときにはフアスナーを開き棚フレームを下げると棚が開き二区画に収納スペースが確保される。
【実施例】
【０００８】  以下、添付図面に從って説明する。図１、二段に区分され、上部は巾着口として上部オーバーでも許容出来る。【０００９】  図２、フレームの組成図で６ヵ所のヒンヂーでリック全体の動作を司る。【００１０】  図３、フレーム作用図で空荷のときフレーム枠を矢印上方に動かすと棚が閉じてリック自体収縮するので公共交通の利用も安心である。
【符号の説明】
【００１１】  １  背負バンド
２  雨覆
３  尾錠
４  フアスナー
５  棚
６  サブフレーム
７  メィンフレーム
８  ヒンジー付フレーム
９  ヒンジー
１０  開
１１  閉
【図１】
0003212461.tif 000003
【図２】
0003212461.tif 000004
【図３】
0003212461.tif 000005
(57)【要約】      （修正有）【課題】回転時間が長く、携帯に便利で、場所の制約を受けずに指先で遊ぶことができるハンドスピナーを提供する。【解決手段】ハンドスピナーであって、貫通孔４が中央に設けられる回転体１と、貫通孔４内に嵌め込まれる軸受３とを含み、回転体１の外縁には、複数の羽根２が均一に分布し、貫通孔４の両端の開口には、回転の中心とされる第１キャップ体５及び第２キャップ体６がそれぞれ設けられる。第１キャップ体５には、雌ねじを有する連結体が設けられ、第２キャップ体６には、雄ねじを有する連結体が設けられ、第１キャップ体５と第２キャップ体６とは螺合される。【選択図】図１
0003212430.tif 000002
【実用新案登録請求の範囲】
【請求項１】
ハンドスピナーであって、
貫通孔が中央に設けられる回転体と、前記貫通孔内に嵌め込まれる軸受とを含み、
前記回転体の外縁には、複数の羽根が均一に分布し、
前記貫通孔の両端の開口には、回転の中心とされる第１キャップ体及び第２キャップ体がそれぞれ設けられることを特徴とするハンドスピナー。
【請求項２】
前記第１キャップ体には、雌ねじを有する連結体が設けられ、
前記第２キャップ体には、雄ねじを有する連結体が設けられ、
前記第１キャップ体と前記第２キャップ体とは螺合されることを特徴とする請求項１に記載のハンドスピナー。
【請求項３】
前記第１キャップ体及び前記第２キャップ体の外面は凹面であることを特徴とする請求項１または２に記載のハンドスピナー。
【考案の詳細な説明】
【技術分野】
【０００１】
本考案は、スピナー分野に関し、特にハンドスピナーに関する。
【０００２】
従来のスピナーは、使用寿命が短く、底部の接触面が研削されやすく、回転時間が短く、美観を損ない、携帯しにくく、場所の制約を受けるといった問題がある。したがって、ハンドスピナーが開発されてきた。
【考案の概要】
【考案が解決しようとする課題】
【０００３】
本考案の目的は、上記問題を解決するためのハンドスピナーを提供することである。
【課題を解決するための手段】
【０００４】
上述した目的を達成するために、本考案に係るハンドスピナーは、貫通孔が中央に設けられる回転体と、前記貫通孔内に嵌め込まれる軸受とを含む。前記回転体の外縁には、複数の羽根が均一に分布する。前記貫通孔の両端の開口には、回転の中心とされる第１キャップ体及び第２キャップ体がそれぞれ設けられる。
【０００５】
好ましくは、前記第１キャップ体には、雌ねじを有する連結体が設けられ、前記第２キャップ体には、雄ねじを有する連結体が設けられ、前記第１キャップ体と前記第２キャップ体とは螺合される。
好ましくは、前記第１キャップ体及び前記第２キャップ体の外面は凹面である。
【考案の効果】
【０００６】
本考案に係るハンドスピナーでは、回転体内に軸受を内嵌するとともに羽根により回転体の中心を回転の中心に維持することで、回転時間が長く、携帯に便利で、場所の制約を受けずに指先で遊ぶことができるほか、ストレスを適切に解消し、強迫性障害を緩和する効果を発揮することができる。
【図面の簡単な説明】
【０００７】
【図１】本考案に係るハンドスピナーの分解斜視図である。
【図２】本考案に係るハンドスピナーの組み付け図である。
【図３】本考案に係るハンドスピナーの第１キャップ体の構成を示す図である。
【考案を実施するための形態】
【０００８】
本考案の目的、技術内容及び効果をより明確にするために、以下、本考案の技術内容を詳しく説明する。説明した実施形態は、本考案の一部の実施形態にすぎず、すべての実施形態ではない。本考案における実施形態に基づいて、当業者が創造的労働を経ることなしに得られた他の実施形態は、いずれも本考案の保護範囲に含まれる。
【０００９】
図１〜図３を参照しながら説明する。本考案に係るハンドスピナーは、回転体１及び軸受３を含む。回転体１の中央には、貫通孔４が設けられる。軸受３は、貫通孔４内に嵌め込まれる。軸受３は、直径が１２．７ｍｍ、内部隙間が６．２ｍｍであり、貫通孔４に内嵌されることによって貫通孔４に締まり嵌めで装着される。こうすることで、回転時の摩擦損失を小さくし、スピナーを高速かつ長時間で回転させることができるほか、スピナーを小型化して携帯しやすくなる。
【００１０】
回転体１の外縁には、複数の羽根２が均一に分布する。羽根２は、三角形や円形、四角形であり、少なくとも２つが設置される。また、羽根２は、貫通孔４の軸線を中心線にし、回転体１の外縁に均一に配列される。
【００１１】
貫通孔４の両端の開口には、回転の中心とされる第１キャップ体５及び第２キャップ体６がそれぞれ設けられる。
好ましくは、第１キャップ体５には、雌ねじを有する連結体が設けられ、第２キャップ体６には、雄ねじを有する連結体が設けられ、第１キャップ体５と第２キャップ体６とは螺合されて固着され、回転の中心とされる。
【００１２】
好ましくは、第１キャップ体５及び第２キャップ体６の外面は凹面である。こうすることで、スピナーを指の上に乗せやすくなる。
以上より、本考案の具体的な実施形態を前述の通り開示したが、これらは決して本考案を限定するものではない。当業者であれば、本考案に開示された技術範囲内の各種の変動や置き換えは、本考案の保護を求める範囲内に属するものであることを理解されたい。したがって、本考案の保護範囲は実用新案登録請求の保護範囲に従う。
【符号の説明】
【００１３】
１ 回転体
２ 羽根
３ 軸受
４ 貫通孔
５ 第１キャップ体
６ 第２キャップ体
【図１】
0003212430.tif 000003
【図２】
0003212430.tif 000004
【図３】
0003212430.tif 000005